(57)【要約】【課題】  リップみぞ形鋼製枠部材上に梱包用パネルを立設して、軽量化と低コスト化を実現した重量物輸送容器の提供。【解決手段】  腰下２１を構成するリップみぞ形鋼製枠部材２２上にパネル３０を立設した輸送容器で、パネル３０の下端に一体に連結した連結板３１の脚部３１ｃを枠部材２２の開口部２８に嵌挿する。連結板３１は、枠部材２２の上段リップ部２２ｄに嵌合して係止される係止部３１ｂと、係止部３１ｂから下方に延在する脚部３１ｃを有し、脚部３１ｃが枠部材２２の下段フランジ部２２ｃの内面と下段リップ部２２ｅの内面のコーナー部２２ｆに向けて斜め下方に傾斜して、下端が下段フランジ部２２ｃの内面に係止し、枠部材２２の開口部２８を補強して、枠部材２２の耐荷重強度を上げる。【選択図】図２
2006143280.tif 000002
【特許請求の範囲】
【請求項１】
上段フランジ部の上段リップ部と下段フランジ部の下段リップ部との間に形成された開口部を外面側に向けた複数の略リップみぞ形鋼の枠部材で矩形枠を形成した腰下と、前記枠部材上に立設した梱包用パネルを有する重量物輸送容器であって、
前記パネルは下端部に、前記枠部材の開口部に挿脱可能に嵌挿され、枠部材上にパネルを立設したときに前記上段リップ部の下端に係止する係止部およびこの係止部から下方に延在して下端が前記下段フランジ部の内面と係止可能な脚部を有する連結板を、パネル下端より下方に延在させて一体に有することを特徴とする重量物輸送容器。
【請求項２】
前記連結板の脚部を、前記係止部の下部先端から前記下段フランジ部内面と下段リップ部内面のコーナー部に向けて斜め下方に延在させたことを特徴とする請求項１に記載の重量物輸送容器。
【請求項３】
前記脚部の下端部と前記下段リップ部の上端部のそれぞれに、前記下段リップ部が前記開口部を拡げる方向に変形すると互いに係合して前記変形を抑制する脚部側係合突部およびリップ側係合突部を形成したことを特徴とする請求項１または２に記載の重量物輸送容器。
【発明の詳細な説明】
【技術分野】
【０００１】
本発明は、機械類などの重量貨物をパネル梱包して輸送する重量物輸送容器に関する。
【背景技術】
【０００２】
矩形枠状の腰下に重量貨物を載せ、腰下の周縁部上に立設したパネルで重量貨物を梱包した状態で輸送する重量物輸送容器が公知である（例えば、特許文献１参照）。腰下は、複数本の金属製枠部材を格子状に結合した構造が一般的である。腰下の前後両端および左右両端の枠部材で構成された矩形枠の各枠部材上に、梱包用パネルを立設して重量物輸送容器を構成している。パネルと枠部材の結合構造は、ビス止めやボルト止め構造の他、グリップアングルを使用した構造が公知である。グリップアングルを有する腰下とパネルの取付構造例を図８〜図１０に示し説明する。
【０００３】
図８に示す腰下１は、複数本の金属製枠部材２を格子状に結合して構成される。枠部材２は、例えば矩形断面の角形鋼管である滑材３とロード４である。図８の腰下１は、複数本の滑材３と複数本のロード４を格子状に上下に組み合わせ、互いの接合部分を溶接により固定している。平行な複数本のロード４の両端の２本をヘッダー４’と称する。平行な複数本の滑材３の下面の複数箇所に角形鋼管のすり材５が溶接で固定される。各滑材３の上面に直交させて固定された複数本のロード４上に、図示しない重量貨物が載置される。滑材３の下面で隣接するすり材５の間に、図示しないフォークリフトのフォークが挿入されて輸送容器の運搬が行われる。また、図示しないクレーンから吊り下げたワイヤーを滑材３の下面に掛けて、輸送容器の運搬が行われる。
【０００４】
平行な複数本の滑材３の両端の２本を３’とすると、この２本の滑材３’と２本のヘッダー４’で形成される矩形枠上に複数枚の梱包用パネル１０が立設される。各パネル１０はスチール製の波板で、腰下１上に載置された重量貨物を囲んで梱包する。各パネル１０は、腰下１にグリップアングル６を介して連結される。パネル１０と滑材３’、ヘッダー４’の取付構造例を図９（Ａ）（Ｂ）または図１０（Ａ）（Ｂ）に示す。
【０００５】
図９（Ａ）（Ｂ）は、滑材３’とパネル１０の取付構造を示す。図９（Ａ）に示すように、滑材３’の上面に長手方向にグリップアングル６が溶接やビス止めで固定される。パネル１０の下端に、グリップアングル６に対応した山形鋼のがた付き防止用端板１１が固定される。グリップアングル６は、底板６ｂと前板６ｃと後板６ｄを有する板金製品である。グリップアングル６の前板６ｃと後板６ｄの間にパネル１０の端板１１を嵌挿して底板６ｂに重ねることで、図９（Ｂ）に示すように、グリップアングル６上にパネル１０を立設する。パネル１０は、グリップアングル６で前後の動きが規制されて、安定した姿勢で滑材３’上に立設される。
【０００６】
また、ヘッダー４’においても、図８に示すように上面にグリップアングル６が固定されて、このグリップアングル６上にパネル１０が立設される。各滑材３’と各ヘッダー４’に立設された複数のパネル１０の上端部で形成される矩形の開口部に図示しない矩形の天井板がボルト止めなどで固定されて、密閉型の大型輸送容器が構成される。なお、図１０（Ａ）（Ｂ）は、異なる種類の滑材７を使用した場合の取付構造例を示し、これの説明は後述する。
【特許文献１】実開平０６−４２６５９号公報（図７）
【発明の開示】
【発明が解決しようとする課題】
【０００７】
図９に示すように、滑材３’上に固定したグリップアングル６を使用してパネル１０を組み付ける構造は、釘やボルトを使用しないため組付作業性に優れる。しかし、腰下１の外枠を構成する２本の滑材３’と２本のヘッダー４’の計４本の枠部材上にグリップアングル６を固定するため、腰下１の構成部品点数が多くなり、その分、製造組立工数が多くなって、腰下１の製造コストが高くなる不具合があった。
【０００８】
また、腰下１を構成する複数本の枠部材２には、角形鋼管が他の種類のリップみぞ形鋼やみぞ形鋼に比べて耐荷重強度が大きくて、積載貨物の荷重で変形し難いことから適用されている。特に、パネル１０を取り付ける２本の滑材３’と２本のヘッダー４’は、パネル１０の荷重を直接に受けるために、耐荷重強度の大きなものが必要であることから角形鋼管を適用している。２本の滑材３’と２本のヘッダー４’に、角形鋼管より耐荷重強度に劣るリップみぞ形鋼やみぞ形鋼を適用するのは、次の理由で難しい。
【０００９】
例えば、図１０（Ａ）にリップみぞ形鋼製滑材７を示す。この滑材７は、垂直なウェブ部７ａと上下一対の上段フランジ部７ｂおよび下段フランジ部７ｃと、各フランジ部７ｂ、７ｃの先端から折曲された上下一対の上段リップ部７ｄおよび下段リップ部７ｅを有する。上下一対のリップ部７ｄ、７ｅ間の開口部８を滑材７の外面側に向けている。上段フランジ部７ｂ上にロード４とグリップアングル６が固定され、グリップアングル６にパネル１０が立設される。この滑材７の場合、パネル１０の荷重で上段フランジ部７ｂに下方に圧縮荷重が加わると、開口部８のために上段フランジ部７ｂと上段リップ部７ｄに捻れによる変形が生じ易い。また、図１０（Ａ）の鎖線で示すように滑材７に下面側からワイヤー９を掛けてクレーンによるワイヤーハンドリングやフォークハンドリングすると、下段フランジ部７ｃと下段リップ部７ｅのコーナー部に上方に加圧力が作用し、この加圧力で下段フランジ部７ｄと下段リップ部７ｅに捻れによる変形が生じ易い。そのため、リップみぞ形鋼の滑材７は、パネル１０を取り付ける枠部材に適用することが強度的に難しい。
【００１０】
図１０（Ｂ）は、滑材７の内面側に開口部８を向けている。この場合、パネル１０の荷重のほとんどが滑材７のウェブ部７ａに加わるために、パネル１０に対する耐荷重性に優れる。しかし、ロード４から貨物荷重が上段フランジ部７ｂの内側に加わると、内側の開口部８のために上段フランジ部７ｂと上段リップ部７ｄに変形が生じ易くなる。また、図示しないが開口部８を下に向けてウェブ部７ａ上にロード４とグリップアングル６を固定することも可能であるが、この場合はパネル荷重や貨物荷重で左右のフランジ部７ｂ、７ｃが変形し易くなる。さらに、開口部８を上に向けてリップ部７ｄ、７ｅ上にロード４とグリップアングル６を固定することも可能であるが、この場合もパネル荷重や貨物荷重でフランジ部７ｂ、７ｃが変形し易くなる。
【００１１】
以上のように、図８の腰下１においては、パネル１０を取り付ける２本の滑材３’と２本のヘッダー４’にリップみぞ形鋼を適用することが強度的に難しくて、角形鋼管を適用している。しかし、角形鋼管は、リップみぞ形鋼に比べて重量大であり、製品コストが高くて、腰下１の軽量化、低コスト化を難しくしていた。
【００１２】
本発明は、かかる実情に鑑みてなされたもので、梱包用パネルを取り付ける枠部材にリップみぞ形鋼が強度的に問題なく適用できるようすることで、腰下の軽量化、低コスト化を実現した重量物輸送容器を提供するものである。
【課題を解決するための手段】
【００１３】
本発明は、上段フランジ部の上段リップ部と下段フランジ部の下段リップ部との間に形成された開口部を外面側に向けた複数の略リップみぞ形鋼の枠部材で矩形枠を形成した腰下と、枠部材上に立設した梱包用パネルを有する重量物輸送容器であって、パネルは下端部に、枠部材の開口部に挿脱可能に嵌挿され、枠部材上にパネルを立設したときに上段リップ部の下端に係止する係止部およびこの係止部から下方に延在して下端が下段フランジ部の内面と係止可能な脚部を有する連結板を、パネル下端より下方に延在させて一体に有することを特徴とする。
【００１４】
ここで、腰下の枠部材は滑材とロッドを含み、少なくとも梱包用パネルが取り付けられる枠部材を略リップみぞ形鋼で構成し、他の枠部材はリップみぞ形鋼に限定されない。ここでの略リップみぞ形鋼の枠部材とは、断面コ字状のみぞ形鋼の両端に同一形状の上段リップ部と下段リップ部を形成したリップみぞ形鋼、形状の異なる上段リップ部と下段リップ部を形成したリップみぞ形鋼の他、断面略Ｃ字状の略みぞ形鋼を意味する。複数本の枠部材を矩形枠状に溶接やボルト止めなどで結合して、腰下の外枠部を構成する。この場合、複数の各リップみぞ形鋼製枠部材の開口部を外面側に向け、各枠部材の開口部を利用して枠部材上に梱包用パネルを立設する。パネルの下端から下方に延在する連結板は、屈曲させた框板形状の金属板が適用できる。リップみぞ形鋼製枠部材上にパネルを立設するときに、連結板をリップみぞ形鋼の開口部に嵌挿し、この連結板の係止部を枠部材開口部上の上段リップ部に係止させ、連結板の係止部から下方に延在する脚部の下端を枠部材の下段フランジ部の内面に当接または極接近する係止可能な状態にする。この上下二箇所の係止構造で、連結板が開口部を塞いだ形で開口部を補強する補強板として機能し、かつ、パネルの下端側をリップみぞ形鋼製枠部材に連結する。連結板が枠部材の開口部を補強することで、パネルを取り付ける枠部材にリップみぞ形鋼が、強度的に問題なく適用できるようになる。
【００１５】
本発明においては、上記連結板の脚部を、連結板の係止部の下部先端からリップみぞ形鋼製枠部材の下段フランジ部内面と下段リップ部内面のコーナー部に向けて斜め下方に延在させることができる。このような連結板の脚部は、連結板の係止部の下部先端から傾斜させることなく真下に延在させた垂直板とすることもできるが、上述のように傾斜させると、傾斜した脚部がリップみぞ形鋼製枠部材の下段フランジ部内面と下段リップ部内面のコーナー部を筋交い的に補強するため、開口部の補強効果に優れる。また、傾斜させた脚部の下端部を下段リップ部内面に係止させて、枠部材内での連結板の姿勢をより安定したものにすることができる。
【００１６】
また、本発明においては、連結板の脚部下端部とリップみぞ形鋼製枠部材の下段リップ部の上端部のそれぞれに、下段リップ部が枠部材の開口部を拡げる方向に変形すると互いに係合して、開口部を拡げる方向の変形を抑制する脚部側係合突部およびリップ側係合突部を形成することができる。
【００１７】
この脚部側係合突部とリップ側係合突部は、平常時は上下で対峙した状態にある。リップみぞ形鋼製枠部材の下段フランジ部や下段リップ部に下方に外部から加圧力が作用して開口部が拡がる方向に変形しようとすると、脚部側係合突部とリップ側係合突部が互いに係合して、開口部が拡がる方向の変形を防止する。
【発明の効果】
【００１８】
本発明の重量物輸送容器によれば、リップみぞ形鋼製の枠部材の開口部を利用して梱包用パネルを取り付けるようにしたので、腰下を構成する枠部材に軽量で製品コストの安いリップみぞ形鋼が強度的に問題なく適用できて、腰下の軽量化、低コスト化を図ることができる。また、梱包用パネルの連結板は、リップみぞ形鋼製枠部材の開口部に嵌挿することで開口部を補強する補強板としても機能するため、リップみぞ形鋼製枠部材を特別な補強部材で補強することなく、工場生産されたリップみぞ形鋼をそのまま腰下の枠部材として使用できる有利さがあり、腰下の製作設計が容易になる。
【発明を実施するための最良の形態】
【００１９】
以下、本発明の実施の形態を図１〜図７を参照して説明する。
【００２０】
図１に示す腰下２１は、複数本の金属製枠部材２２を上下に格子状に組み合わせて、互いの接合部を溶接などで固定して構成される。枠部材２２は、複数本の滑材２３とロード２４で、滑材２３の下面にすり材２５を溶接している。平行な複数本の滑材２３の両端の２本と、平行な複数本のロード２４の両端の２本の枠部材で構成される矩形枠上に複数枚の梱包用パネル３０が立設される。複数の各パネル３０は、腰下２１上に載置された重量貨物を囲んで梱包する。
【００２１】
パネル３０が立設される平行な複数本の滑材２３の両端の２本と、平行な複数本のロード２４の両端の２本（図８のヘッダーに相当）のパネル取付構造は同じで、以下、２本の滑材２３と２本のロード２４を共に枠部材２２と称する。この４本の枠部材２２はリップみぞ形鋼製品で、その各種の断面形状例が図２〜図７に示される。
【００２２】
図２と図３に示すリップみぞ形鋼製枠部材２２は、垂直なウェブ部２２ａと、上段フランジ部２２ｂおよび下段フランジ部２２ｃと、上段リップ部２２ｄおよび下段リップ部２２ｅを有し、上下のリップ部２２ｄ、２２ｅの間が開口部２８である。枠部材２２は、開口部２８を外面側に向けて設置され、枠部材２２上に直交させてロード２４の端部が固定される。図３に示すように、枠部材２２の上面は、幅方向で内側上面ｍと外側上面ｎに二分され、内側上面ｍ上にロード２４が固定され、外側上面ｎにパネル３０が立設される。本発明は、パネル３０の下端部に一体に固定した連結板３１をリップみぞ形鋼製枠部材２２の開口部２８に嵌挿して、パネル３０を枠部材２２上に立設する。
【００２３】
連結板３１は屈曲した金属板で、図３の断面図に示すように、パネル３０の下端部の内面と下面に嵌合してビス止めなどで固定される断面Ｌ形の固定座部３１ａと、固定座部３１ａの下部先端から真下および内方に延在する断面Ｌ形の係止部３１ｂと、係止部３１ｂから下方に延在する断面Ｉ形の脚部３１ｃを有する。係止部３１ｂは、リップみぞ形鋼製枠部材２２の上段リップ部２２ｄの外面と下端面に着脱可能に嵌合する。脚部３１ｃは、上段リップ部２２ｄに嵌合した係止部３１ｂの下部先端から下段フランジ部２２ｃの内面と下段リップ部２２ｅの内面のコーナー部２２ｆに向けて斜め下方に延在する傾斜板である。この脚部３１ｃの下端は、下段フランジ部２２ｃの内面に当接または極接近して、下段フランジ部２２ｃの内面と係止可能な状態にしてある。
【００２４】
リップみぞ形鋼製枠部材２２上へのパネル３０の立設は、図３に示す要領で行われる。枠部材２２の開口部２８に斜め上から脚部３１ｃを挿入する。挿入した脚部３１ｃの下端を下段フランジ部２２ｃの内面に当接し、この下端を支点にパネル３０を図３で反時計方向に揺動させて、連結板３１の係止部３１ｂを枠部材２２の上段リップ部２２ｄに嵌合させる。すると、図２に示すように、連結板３１の固定座部３１ａが上段フランジ部２２ｂの外側上面ｎに接合して、外側上面ｎの上にパネル３０が垂直に立設される。同時に、係止部３１ｂが上段リップ部２２ｄの外面と下端に係止し、傾斜した脚部３１ｃの下端がコーナー部２２ｆに係止する。
【００２５】
図２の状態でパネル３０やロード２４の荷重がリップみぞ形鋼製枠部材２２の上段フランジ部２２ｂに加わると、この荷重はウェブ部２２ａと連結板３１に分散されて加わる。上段フランジ部２２ｂの外側上面ｎに加わるパネル３０の荷重は、上段リップ部２２ｄから連結板３１の係止部３１ｂに加わり、係止部３１ｂから脚部３１ｃを介して下段フランジ部２２ｃに加わる。その結果、枠部材２２の開口部２８が連結板３１で補強された状態となり、開口部２８の開口幅が狭まる方向での変形が防止され、枠部材２２の耐荷重強度が開口部２８における連結板３１の存在で増大する。
【００２６】
また、図２の状態において、リップみぞ形鋼製枠部材２２の下段フランジ部２２ｃと下段リップ部２２ｅには、腰下を引きずって移動させる時などに枠部材２２の下面が引きずられる際の摩擦抵抗などで、図２の矢印で示すような斜め下向きの外力Ｆが作用することがある。この斜め下向き外力Ｆで下段リップ部２２ｅが開口部２８を拡げる下方向に変形しようとすると、コーナー部２２ｆに斜めに係止する脚部３１ｃの下端が下段リップ部２２ｅの内面に係止して、下方向の変形を抑制する。コーナー部２２ｆに斜め上から係止する脚部３１ｃは、コーナー部２２ｆを筋交い的に補強して、斜め下向き外力Ｆに対する耐荷重強度を増大させる。
【００２７】
なお、図２の状態において、連結板３１の脚部３１ｃを傾斜させず、脚部３１ｃを下段フランジ部２２ｃの内面と直交する垂直板の形状にしてもよく、この場合、上述したような筋交い的な補強効果に劣るが、開口部２８を補強して枠部材２２の耐荷重強度を増大させることができる。
【００２８】
次に、図４〜図７に基づき、他の各種の実施の形態を順に説明する。
【００２９】
図４は、連結板３１の係止部３１ｂを断面略Ｖ形にしている。このＶ形係止部３１ｂは、リップみぞ形鋼製枠部材２２の上段リップ部２２ｄの外面に接合する垂直部３１ｂ１と、垂直部３１ｂ１の下端から斜め上方に傾斜する傾斜部３１ｂ２を有する。係止部３１ｂを上段リップ部２２ｄに嵌合して、垂直部３１ｂ１と傾斜部３１ｂ２の鋭角断面の内側角部に上段リップ部２２ｄの下端を係止させる。この場合、図４の状態で係止部３１ｂが上段リップ部２２ｄから図４で右方向に離れようとすると、上段リップ部２２ｄの下端が傾斜部３１ｂ２の上面に係止して、上段リップ部２２ｄから係止部３１ｂが離れる不本意な動きが防止される。したがって、枠部材２２の開口部２８に嵌着した連結板３１の姿勢がより安定したものとなり、連結板３１による開口部２８の補強効果が安定する。
【００３０】
図５に示す実施の形態は、リップみぞ形鋼製枠部材２２の下段リップ部２２ｅの上端部に係合突部２２ｈを一体に突設し、連結板３１の脚部３１ｃの下端部に係合突部３１ｈを一体に形成している。リップ側係合突部２２ｈは、下段リップ部２２ｅの上端部を内方に略直角に折曲したものである。脚部側係合突部３１ｈは、傾斜した脚部３１ｃの下端部を斜め上方に折曲して、脚部下端部を断面Ｖ形にする。図５に示すように、枠部材２２の開口部２８に連結板３１を取り付けたとき、脚部３１ｃの下端が下段フランジ部２２ｃの内面に係止し、脚部側係合突部３１ｈがリップ側係合突部２２ｈの真下に位置する。
【００３１】
例えば図２の矢印方向の斜め下向き外力Ｆが枠部材２２のコーナー部２２ｆの外側部位に作用して、下段リップ部２２ｅが下方に変形しようとすると、リップ側係合突部２２ｈが脚部側係合突部３１ｈと係止して、下段リップ部２２ｅの下方方向の変形が抑制される。したがって、連結板３１による開口部２８の補強効果がより増大する。
【００３２】
図６に示す実施の形態は、リップみぞ形鋼製枠部材２２の上段リップ部２２ｄの下端部と下段リップ部２２ｅの上端部の双方に係合突部２２ｊ、２２ｊを一体に突設し、連結板３１の脚部３１ｃの下端部に断面逆Ｌ形の係合突部３１ｊを一体に形成している。枠部材２２の開口部２８に連結板３１を取り付けたとき、脚部３１ｃの係合突部３１ｊの下端が下段フランジ部２２ｃの内面に係止し、この係合突部３１ｊの上面に下段のリップ側係合突部２２ｊの下端が係止するようにしてある。図６の場合も、枠部材２２のコーナー部２２ｆの外側部位に下向き外力が作用して、下段リップ部２２ｅが下方に変形しようとすると、上下の両係合突部２２ｊ、３１ｊが互いに係合して、下段リップ部２２ｅの下方向の変形が抑制され、連結板３１による開口部２８の補強効果が増大する。
【００３３】
図７に示す実施の形態は、リップみぞ形鋼製枠部材２２の上段リップ部２２ｄの下端部と下段リップ部２２ｅの上端部の双方に断面Ｌ形および断面逆Ｌ形の係合突部２２ｋ、２２ｋを一体に突設し、連結板３１の脚部３１ｃの下端部を断面Ｖ形にして係合突部３１ｋを一体に形成している。枠部材２２の開口部２８に連結板３１を取り付けたとき、脚部３１ｃの下端が下段フランジ部２２ｃの内面に係止し、脚部側係合突部３１ｋの上部に下段の断面逆Ｌ形リップ側係合突部２２ｋが係止するようにしてある。この場合も、枠部材２２のコーナー部２２ｆの外側部位に下向き外力が作用して、下段リップ部２２ｅが下方に変形しようとすると、上下の両係合突部２２ｋ、３１ｋが互いに係止して、下段リップ部２２ｅの下方向の変形が抑制され、連結板３１による開口部２８の補強効果が増大する。
【００３４】
なお、本発明の重量物輸送容器は、上記した実施の形態に限定されるものではなく、本発明の要旨を逸脱しない範囲内において種々変更を加え得ることは勿論である。
【図面の簡単な説明】
【００３５】
【図１】実施の形態を示す重量物輸送容器における腰下とパネルの斜視図である。
【図２】図１の重量物輸送容器の部分拡大断面図である。
【図３】図１の重量物輸送容器の組立時の部分拡大断面図である。
【図４】他の実施の形態を示す部分断面図である。
【図５】さらに他の実施の形態を示す部分断面図である。
【図６】さらに他の実施の形態を示す部分断面図である。
【図７】さらに他の実施の形態を示す部分断面図である。
【図８】従来の重量物輸送容器における腰下とパネルの斜視図である。
【図９】（Ａ）は図８の重量物輸送容器の組立時の部分拡大断面図、（Ｂ）は組立後の部分拡大断面図である。
【図１０】（Ａ）（Ｂ）は図８の重量物輸送容器の枠部材にリップみぞ形鋼を使用した場合の問題を説明するための部分断面図である。
【符号の説明】
【００３６】
２１    腰下
２２ａ    ウェブ部
２２ｂ    上段フランジ部
２２ｄ    上段リップ部
２２ｃ    下段フランジ部
２２ｅ    下段リップ部
２２ｆ    コーナー部
２２ｈ、２２ｊ、２２ｋ    リップ側係合突部
２２    リップみぞ形鋼製枠部材
２３    滑材、枠部材
２４    ロード、枠部材
２８    開口部
３０    パネル
３１    連結板
３１ｂ    係止部
３１ｃ    脚部
３１ｈ、３１ｊ、３１ｋ    脚部側係合突部
【図１】
2006143280.tif 000003
【図２】
2006143280.tif 000004
【図３】
2006143280.tif 000005
【図４】
2006143280.tif 000006
【図５】
2006143280.tif 000007
【図６】
2006143280.tif 000008
【図７】
2006143280.tif 000009
【図８】
2006143280.tif 000010
【図９】
2006143280.tif 000011
【図１０】
2006143280.tif 000012